(57)【要約】【課題】占有面積が少なく、更に実装高さが低くする複合コネクタとなるメモリカード用コネクタを提供する。【解決手段】ハウジング３は、上面開放凹部３１の縁端辺にＳＩＭカード１が挿入されるカード差込部３１Ａを有し、上面開放凹部３１の底面から隆起する段差となった上面開放凹部３２の縁端辺にＲＳ−ＭＭＣ２が挿入されるカード差込部３２Ａを有し、カード差込部３２Ａはカード差込部３１Ａと直交すると共に隣接する。カンチレバーコンタクト４は、上面開放凹部３１の底部に配列され、ＳＩＭカード１の面上接続端子１Ｔ群と接触する。カンチレバーコンタクト５は、上面開放凹部３２の底部に配列され、ＲＳ−ＭＭＣ２の面上接続端子２Ｔ群と接触する。カード差込部３１Ａに挿入されたＳＩＭカード１上にカード差込部３２Ａに挿入されたＲＳ−ＭＭＣ２が当接するように積み重なる。【選択図】        図１
2007012348.tif 000002
【特許請求の範囲】
【請求項１】
第１のメモリカードと第２のメモリカードとが差し込まれることによって当該第１と第２のメモリカードとが電気的に接続されるメモリカード用コネクタであって、
前記第１のメモリカードが載置される第１の上面開放凹部が形成されており、当該第１の上面開放凹部の縁端辺に前記第１のメモリカードが挿入される第１のカード差込部を有しており、前記第１の上面開放凹部の底面から隆起する段差となって前記第２のメモリカードが載置される第２の上面開放凹部が形成されており、当該第２の上面開放凹部の縁端辺に前記第２のメモリカードが挿入される第２のカード差込部を有しており、当該第２のカード差込部は前記第１のカード差込部が形成されている縁端辺と直交すると共に隣接しているハウジングと、
前記第１の上面開放凹部の底部に配列されており、前記第１のメモリカードに形成されている第１の面上接続端子群と接触する複数個の第１のカンチレバーコンタクトと、
前記第２の上面開放凹部の底部に配列されており、前記第２のメモリカードに形成されている第２の面上接続端子群と接触する複数個の第２のカンチレバーコンタクトと、を備えており、
前記第１のカード差込部に挿入された前記第１のメモリカード上に前記第２のカード差込部に挿入された前記第２のメモリカードが当接するように積み重なることを特徴とするメモリカード用コネクタ。
【請求項２】
前記第１のメモリカードは、前記第１の上面開放凹部における底面と鋭角をなす角度で前記第１のカード差込部に挿入された後に第１の上面開放凹部に載置され、前記第２のメモリカードは、前記第２の上面開放凹部における底面と鋭角をなす角度で前記第２のカード差込部に挿入された後に前記第１のカード差込部に挿入された前記第１のメモリカード上に前記第２のカード差込部に挿入された前記第２のメモリカードが当接するように積み重なることを特徴とする請求項１記載のメモリカード用コネクタ。
【請求項３】
一方の面の中央部に第１の面上接続端子群が配列されている第１のメモリカードと、一端辺近傍に第２の面上接続端子群が配列されている第２のメモリカードと、が差し込まれることによって当該第１と第２のメモリカードとが電気的に接続されるメモリカード用コネクタであって、
前記第１のメモリカードは、当該第１のメモリカードにおける第１の面上接続端子群の配列面が下面となるように前記第１の上面開放凹部に載置され、
前記第２のメモリカードは、当該第２のメモリカードにおける第２の面上接続端子群の配列面が下面となるように前記第２の上面開放凹部に載置され、
前記第１のカード差込部に前記第１のメモリカードが差し込まれると、前記第１のカンチレバーコンタクトによって当該第１のメモリカードが傾斜状態に保持される第１のポップアップ機構を構成しており、
前記第２のカード差込部に前記第２のメモリカードが差し込まれると、前記第２のカンチレバーコンタクトによって当該第２のメモリカードが傾斜状態に保持される第２のポップアップ機構を構成しており、
前記第１のカード差込部に挿入された前記第１のメモリカード上に前記第２のカード差込部に挿入された前記第２のメモリカードが当接するように積み重ねられており、当該第２のメモリカードが水平状態に押圧されると、前記第１のメモリカードは前記第１のカード差込部を支点に回転変位して前記第１の面上接続端子群が前記第１のカンチレバーコンタクトに押圧され、前記第２のメモリカードは前記第２のカード差込部を支点に回転変位して前記第２の面上接続端子群が前記第２のカンチレバーコンタクトに押圧されることを特徴とする請求項１又は２のいずれかに記載のメモリカード用コネクタ。
【請求項４】
前記第１のカンチレバーコンタクトは弾性部と固定部とで構成されており、当該弾性部は前記第１の面上接続端子との接点が前記第１の上面開放凹部の底面から突出しており、当該固定部は前記ハウジングに保持されており、当該固定部の縁部は前記ハウジングから延出してこのメモリカード用コネクタが実装されるプリント基板に、はんだ接合されるタブを形成していることを特徴とする請求項１から３のいずれかに記載のメモリカード用コネクタ。
【請求項５】
前記第２のカンチレバーコンタクトは弾性部と固定部とで構成されており、当該弾性部は前記第２の面上接続端子との接点が前記第２の上面開放凹部の底面から突出しており、当該固定部は前記ハウジングに保持されており、当該固定部の縁部は前記ハウジングから延出してこのメモリカード用コネクタが実装されるプリント基板に、はんだ接合されるタブを形成していることを特徴とする請求項１から３のいずれかに記載のメモリカード用コネクタ。
【請求項６】
前記第１のメモリカードは、ＳＩＭ（Ｓｕｂｓｃｒｉｂｅｒ  Ｉｄｅｎｔｉｆｙ  Ｍｏｄｕｌｅ）カードを含むことを特徴とする請求項１から５のいずれかに記載のメモリカード用コネクタ。
【請求項７】
前記第２のメモリカードはＳＤ（Ｓｅｃｕｒｅ  Ｄｉｇｉｔａｌ）カードとＭＭＣ（Ｍｕｌｔｉｍｅｄｉａ  Ｃａｒｄ）とＲＳ（Ｒｅｄｕｃｅｄ  Ｓｉｚｅ）−ＭＭＣとを含むことを特徴とする請求項１から６のいずれかに記載のメモリカード用コネクタ。
【請求項８】
請求項１から７のいずれかに記載のメモリカード用コネクタが搭載されていることを特徴とする携帯電話機。
【発明の詳細な説明】
【技術分野】
【０００１】
本発明は、メモリカード用コネクタ及びこれを用いた携帯電話機に関する。特に、複数のメモリカードが差し込まれることによって当該複数のメモリカードと電気的に接続するメモリカード用コネクタ及びこれを用いた携帯電話機に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
フレキシブルディスク（ＦＤ）や光磁気ディスク（ＭＯ）等のディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、このメモリカードは、データの読み書きにＦＤやＭＯ等のように駆動装置を必要としないというメリットがあるため、消費電力や携帯性が重要視されるデジタルカメラやノート型パソコン、携帯音楽プレーヤーには好適である。
【０００５】
近年においては、情報管理用のメモリカードと記録用のメモリカードを１つの電子機器（例えば、携帯電話機）に搭載することが提唱され、複数のメモリカードを同時に接続可能なコネクタが要請されている。前者の情報管理用のメモリカードは例えば、ＳＩＭ（Ｓｕｂｓｃｒｉｂｅｒ  Ｉｄｅｎｔｉｆｙ  Ｍｏｄｕｌｅ：加入者識別モジュール）カードであり、後者の記録用のメモリカードは例えば、ＳＤ（Ｓｅｃｕｒｅ  Ｄｉｇｉｔａｌ）カードである。
【０００６】
前述の複合コネクタとして、第１のメモリカードに接続するための第１のコンタクトと第２のメモリカードに接続するための第２のコンタクトとを保持したインシュレータに、第１のメモリカードを収納するための第１の収納部と第２のメモリカードを収納するための第２の収納部とを重なった位置に設けており、第１のメモリカードは第１の収納部に対し第１の方向において嵌合離脱するようにしており、第２のメモリカードは第２の収納部に対し第１の方向とは異なる第２の方向において嵌合離脱するようにしたメモリカード用コネクタが発明されている（例えば、特許文献１参照）。
【０００７】
又、前述の複合コネクタとして、コネクタをＳＤカードが着脱されるＳＤカードコネクタ部とＳＩＭカードが着脱されるＳＩＭカードコネクタ部とで上下一体に分離不可能に樹脂で成型し、ＳＤカードコネクタ部のＳＤカード用接続端子およびＳＩＭカードコネクタ部のＳＩＭカード用接続端子のプリント基板に対する引出し方向を互いに直交する方向に配置すると共に、ＳＤカードおよびＳＩＭカードの長手方向（挿抜方向）が互いに直交する方向から各コネクタに着脱し、各コネクタの着脱方式を互いに異ならせるようにしたメモリカード用コネクタが発明されている（例えば、特許文献２参照）。
【０００８】
特許文献１によるメモリカード用コネクタは、第１及び第２のメモリカードを互いに異なる方向において嵌合離脱するようにしているので、取り付け対象となる機器の設計の自由度が増す。また、実装時に投影面積が少なくかつ高さ寸法を小さくすることもできる。
【０００９】
特許文献２によるメモリカード用コネクタは、形状あるいは仕様の異なるメモリカードのコネクタを樹脂で一体に分離不可能に成型するようにしたので、電子機器の占有体積を減少させ小型化を図ることができる。又、各コネクタへの各メモリカードの着脱方式を異ならせるようにしたので、電子機器への実装が効率的となる。
【００１０】
更に、各コネクタからプリント基板に引き出される接続端子をそれぞれ直交する方向で配置し、各メモリカードをそれぞれ直交する方向で着脱するようにしたので、各メモリカードからの結線が単純化する。このため、プリント基板に対する占有面積を減少させることができる。又、配線の引き回し時においても、信号線が交差することがないのでノイズの影響がなくなる。
【００１１】
【特許文献１】特開２００１−２９７８１０号公報
【特許文献２】特開２００１−３０７８０１号公報
【発明の開示】
【発明が解決しようとする課題】
【００１２】
特許文献１及び特許文献２によるメモリカード用コネクタは、二つのメモリカードが並列に平面配置されるメモリカード用コネクタと比較すると占有面積を圧倒的に減少させることができる。しかしながら、特許文献１及び特許文献２によるメモリカード用コネクタは、二つのメモリカードが隔壁を介して積層されている。例えば、携帯電話機では更なる低背化が要求されており、占有面積が少なく、更に実装高さが低くする複合コネクタとなる新たなメモリカード用コネクタが要求されている。
【００１３】
本発明は、上述した課題を解決すべく、メモリカードを含めた複合コネクタ全体として低背化・小型化を実現するメモリカード用コネクタを提供することを目的とする。
【課題を解決するための手段】
【００１４】
発明者は、上記目的を満たすため、メモリカード用コネクタを第１のメモリカード上に第２のメモリカードが当接するように積み重なる構造とし、以下のような新たなメモリカード用コネクタ及びこれを用いた携帯電話機を発明した。
【００１５】
（１）  第１のメモリカードと第２のメモリカードとが差し込まれることによって当該第１と第２のメモリカードとが電気的に接続されるメモリカード用コネクタであって、前記第１のメモリカードが載置される第１の上面開放凹部が形成されており、当該第１の上面開放凹部の縁端辺に前記第１のメモリカードが挿入される第１のカード差込部を有しており、前記第１の上面開放凹部の底面から隆起する段差となって前記第２のメモリカードが載置される第２の上面開放凹部が形成されており、当該第２の上面開放凹部の縁端辺に前記第２のメモリカードが挿入される第２のカード差込部を有しており、当該第２のカード差込部は前記第１のカード差込部が形成されている縁端辺と直交すると共に隣接しているハウジングと、前記第１の上面開放凹部の底部に配列されており、前記第１のメモリカードに形成されている第１の面上接続端子群と接触する複数個の第１のカンチレバーコンタクトと、前記第２の上面開放凹部の底部に配列されており、前記第２のメモリカードに形成されている第２の面上接続端子群と接触する複数個の第２のカンチレバーコンタクトと、を備えており、前記第１のカード差込部に挿入された前記第１のメモリカード上に前記第２のカード差込部に挿入された前記第２のメモリカードが当接するように積み重なることを特徴とするメモリカード用コネクタ。
【００１６】
（２）  前記第１のメモリカードは、前記第１の上面開放凹部における底面と鋭角をなす角度で前記第１のカード差込部に挿入された後に第１の上面開放凹部に載置され、前記第２のメモリカードは、前記第２の上面開放凹部における底面と鋭角をなす角度で前記第２のカード差込部に挿入された後に前記第１のカード差込部に挿入された前記第１のメモリカード上に前記第２のカード差込部に挿入された前記第２のメモリカードが当接するように積み重なることを特徴とする（１）記載のメモリカード用コネクタ。
【００１７】
（３）  一方の面の中央部に第１の面上接続端子群が配列されている第１のメモリカードと、一端辺近傍に第２の面上接続端子群が配列されている第２のメモリカードと、が差し込まれることによって当該第１と第２のメモリカードとが電気的に接続されるメモリカード用コネクタであって、前記第１のメモリカードは、当該第１のメモリカードにおける第１の面上接続端子群の配列面が下面となるように前記第１の上面開放凹部に載置され、前記第２のメモリカードは、当該第２のメモリカードにおける第２の面上接続端子群の配列面が下面となるように前記第２の上面開放凹部に載置され、前記第１のカード差込部に前記第１のメモリカードが差し込まれると、前記第１のカンチレバーコンタクトによって当該第１のメモリカードが傾斜状態に保持される第１のポップアップ機構を構成しており、前記第２のカード差込部に前記第２のメモリカードが差し込まれると、前記第２のカンチレバーコンタクトによって当該第２のメモリカードが傾斜状態に保持される第２のポップアップ機構を構成しており、前記第１のカード差込部に挿入された前記第１のメモリカード上に前記第２のカード差込部に挿入された前記第２のメモリカードが当接するように積み重ねられており、当該第２のメモリカードが水平状態に押圧されると、前記第１のメモリカードは前記第１のカード差込部を支点に回転変位して前記第１の面上接続端子群が前記第１のカンチレバーコンタクトに押圧され、前記第２のメモリカードは前記第２のカード差込部を支点に回転変位して前記第２の面上接続端子群が前記第２のカンチレバーコンタクトに押圧されることを特徴とする（１）又は（２）のいずれかに記載のメモリカード用コネクタ。
【００１８】
（４）  前記第１のカンチレバーコンタクトは弾性部と固定部とで構成されており、当該弾性部は前記第１の面上接続端子との接点が前記第１の上面開放凹部の底面から突出しており、当該固定部は前記ハウジングに保持されており、当該固定部の縁部は前記ハウジングから延出してこのメモリカード用コネクタが実装されるプリント基板に、はんだ接合されるタブを形成していることを特徴とする（１）から（３）のいずれかに記載のメモリカード用コネクタ。
【００１９】
（５）  前記第２のカンチレバーコンタクトは弾性部と固定部とで構成されており、当該弾性部は前記第２の面上接続端子との接点が前記第２の上面開放凹部の底面から突出しており、当該固定部は前記ハウジングに保持されており、当該固定部の縁部は前記ハウジングから延出してこのメモリカード用コネクタが実装されるプリント基板に、はんだ接合されるタブを形成していることを特徴とする（１）から（３）のいずれかに記載のメモリカード用コネクタ。
【００２０】
（６）  前記第１のメモリカードは、ＳＩＭ（Ｓｕｂｓｃｒｉｂｅｒ  Ｉｄｅｎｔｉｆｙ  Ｍｏｄｕｌｅ）カードを含むことを特徴とする（１）から（５）のいずれかに記載のメモリカード用コネクタ。
【００２１】
（７）  前記第２のメモリカードはＳＤ（Ｓｅｃｕｒｅ  Ｄｉｇｉｔａｌ）カードとＭＭＣ（Ｍｕｌｔｉｍｅｄｉａ  Ｃａｒｄ）とＲＳ（Ｒｅｄｕｃｅｄ  Ｓｉｚｅ）−ＭＭＣとを含むことを特徴とする（１）から（６）のいずれかに記載のメモリカード用コネクタ。
【００２２】
（８）  （１）から（７）のいずれかに記載のメモリカード用コネクタが搭載されていることを特徴とする携帯電話機。
【００２３】
（１）記載の発明によれば、「第１のメモリカードと第２のメモリカードとが差し込まれることによって当該第１と第２のメモリカードとが電気的に接続されるメモリカード用コネクタであって、前記第１のメモリカードが載置される第１の上面開放凹部が形成されており、当該第１の上面開放凹部の縁端辺に前記第１のメモリカードが挿入される第１のカード差込部を有しており、前記第１の上面開放凹部の底面から隆起する段差となって前記第２のメモリカードが載置される第２の上面開放凹部が形成されており、当該第２の上面開放凹部の縁端辺に前記第２のメモリカードが挿入される第２のカード差込部を有しており、当該第２のカード差込部は前記第１のカード差込部が形成されている縁端辺と直交すると共に隣接しているハウジングと、前記第１の上面開放凹部の底部に配列されており、前記第１のメモリカードに形成されている第１の面上接続端子群と接触する複数個の第１のカンチレバーコンタクトと、前記第２の上面開放凹部の底部に配列されており、前記第２のメモリカードに形成されている第２の面上接続端子群と接触する複数個の第２のカンチレバーコンタクトと、を備えており、前記第１のカード差込部に挿入された前記第１のメモリカード上に前記第２のカード差込部に挿入された前記第２のメモリカードが当接するように積み重なることを」ことを特徴としてよい。
【００２４】
（２）記載の発明によれば、「（１）記載のメモリカード用コネクタにおいて、前記第１のメモリカードは、前記第１の上面開放凹部における底面と鋭角をなす角度で前記第１のカード差込部に挿入された後に第１の上面開放凹部に載置され、前記第２のメモリカードは、前記第２の上面開放凹部における底面と鋭角をなす角度で前記第２のカード差込部に挿入された後に前記第１のカード差込部に挿入された前記第１のメモリカード上に前記第２のカード差込部に挿入された前記第２のメモリカードが当接するように積み重なる」ことを特徴としてよい。
【００２５】
第１及び第２のメモリカードは、ＩＣチップをカード型外殻に封止したカード形状に形成される。そして、第１のメモリカードは底面に第１の面上接続端子群が配列されている記憶装置であってよく、第２のメモリカードは挿入端部の底面に第２の面上接続端子群が配列されている記憶装置であってよい。
【００２６】
本発明によるメモリカード用コネクタに挿抜される第１のメモリカードは、ＳＩＭカードを含んでよく、本発明によるメモリカード用コネクタに挿抜される第２のメモリカードは、ＳＤカードと、ＭＭＣ（Ｍｕｌｔｉｍｅｄｉａ  Ｃａｒｄ）と、ＲＳ（Ｒｅｄｕｃｅｄ  Ｓｉｚｅ）−ＭＭＣとを含んでよい。なお、ＳＩＭカードはカードにメモリやマイクロプロセッサ等のＩＣチップを埋め込んだもので、一般的には「ＩＣカード」と称されるが、本発明では、「メモリカード」として取り扱うものとする。
【００２７】
ハウジングは絶縁性の合成樹脂材で成形されてよく、好適な実施態様において、このハウジングは第２のメモリカードの外形に見合った概矩形状に形成されてよい。
【００２８】
そして、このハウジングに第１のメモリカードが載置される矩形状の第１の上面開放凹部が形成されており、当該第１の上面開放凹部の縁端辺に第１のメモリカードが緩挿される薄直方体形状の第１のカード差込部を有している。第１のカード差込部は、第１のメモリカードにおける一端辺近傍が緩挿される差込口を有する収納空間からなる薄直方体形状になっている。
【００２９】
なお、「緩挿」とは、ゆるやかに差し込まれること、又は、差し込まれた状態がゆるやかになるように差し込まれることを意味している。
【００３０】
一方、第１の上面開放凹部の底面から隆起する段差となって第２のメモリカードが載置される矩形状の第２の上面開放凹部が形成されており、第２の上面開放凹部の縁端辺に第２のメモリカードが緩挿される薄直方体形状の第２のカード差込部を有している。
【００３１】
なお、前述の「段差」は、後述するように第２のメモリカードに押圧された第１のメモリカードにおける面上接続端子が第２のカンチレバーコンタクトと適正な接触圧をもつ程度の厚さを有してよい。
【００３２】
この第２のカード差込部は第１のカード差込部が形成されている縁端辺と直交すると共に隣接している。第２のカード差込部は、第２のメモリカードにおける面上接続端子群が配列されている一端子近傍が緩挿される差込口を有する収納空間からなる薄直方体形状になっている。
【００３３】
第１のメモリカードは、第１の上面開放凹部における底面と鋭角をなす角度で第１のカード差込部に斜めに挿入されてよく、その後、第１の上面開放凹部に第１のメモリカードが載置されてよい。又、第１のカード差込部の両翼であり、第１の上面開放凹部において対向する立設壁は、第１のメモリカードにおける両側辺を規制するようになっている。
【００３４】
一方、第２のメモリカードは、第２の上面開放凹部における底面と鋭角をなす角度で第１のカード差込部に斜めに挿入されてよく、その後、第１のカード差込部に挿入された第１のメモリカード上に第２のメモリカードが当接するように積み重ねられ載置されてよい。又、第２のカード差込部の両翼であり、第２の上面開放凹部において対向する立設壁は、第２のメモリカードにおける両側辺を部分的に規制するようになっている。
【００３５】
第１及び第２のカンチレバーコンタクトは、ばねの働きが片持ち梁のコンタクトであって、この複数の第１及び第２のカンチレバーコンタクトは第１及び第２のメモリカードに形成された第１及び第２の面上接続端子群と接触するように整列して配置されている。
【００３６】
更に、第１及び第２のカンチレバーコンタクトの固定部は例えば圧入等でハウジングにそれぞれ保持される。更に、固定部の縁部はプリント基板に、はんだで接合されるタブとなっており、このハウジングをプリント基板に保持する機能を担っている。
【００３７】
好適な実施態様において、第１のカンチレバーコンタクトの弾性部は円弧状に形成され、この円弧部は第１の上面開放凹部の底面から突出している。第２のカンチレバーコンタクトの弾性部は円弧状に形成され、この円弧部は第２の上面開放凹部の底面から突出している。更に、この円弧部は第２のカード差込部近傍に配列される。
【００３８】
本発明によるメモリカード用コネクタは、第１のカード差込部に第１のメモリカードが差し込まれると、第１のカンチレバーコンタクトの付勢力によって第１のメモリカードが傾斜状態に保持されるポップアップ機構を構成している。又、第２のカード差込部に第２のメモリカードが差し込まれると、第２のカンチレバーコンタクトの付勢力によって第２のメモリカードが傾斜状態に保持されるポップアップ機構を構成している。
【００３９】
このようなメモリカード用コネクタにあっては、このメモリカード用コネクタが搭載される装置において蓋体等で第２のメモリカードを押圧することにより、第２のメモリカードにおける面上接続端子群は第２のカンチレバーコンタクトに電気的接続を可能としている。更に、第１のメモリカードは第２のメモリカードに押圧されることにより、第１のメモリカードにおける面上接続端子群は第１のカンチレバーコンタクトに電気的接続を可能としている。
【００４０】
好適な実施態様において、第１のメモリカードは、一方の面の中央部に第１の面上接続端子群が配列されている。第２のメモリカードは、一端辺近傍に第２の面上接続端子群が配列されている。
【００４１】
第１のメモリカードは、当該第１のメモリカードにおける第１の面上接続端子群の配列面が下面となるように第１の上面開放凹部に載置される。第２のメモリカードは、当該第２のメモリカードにおける第２の面上接続端子群の配列面が下面となるように第２の上面開放凹部に載置される。
【００４２】
そして、本発明によるメモリカード用コネクタは、第１のカード差込部に前記第１のメモリカードが差し込まれると、第１のカンチレバーコンタクトによって当該第１のメモリカードが傾斜状態に保持される第１のポップアップ機構を構成している。又、第２のカード差込部に前記第２のメモリカードが差し込まれると、前記第２のカンチレバーコンタクトによって当該第２のメモリカードが傾斜状態に保持される第２のポップアップ機構を構成している。
【００４３】
このように構成されたメモリカード用コネクタは、第１のカード差込部に挿入された第１のメモリカード上に第２のカード差込部に挿入された第２のメモリカードが当接するように積み重ねられている。
【００４４】
そして、第２のメモリカードが水平状態に押圧されると、第１のメモリカードは第１のカード差込部を支点に回転変位して前記第１の面上接続端子群が第１のカンチレバーコンタクトに押圧される。又、第２のメモリカードは第２のカード差込部を支点に回転変位して第２の面上接続端子群が第２のカンチレバーコンタクトに押圧される。
【００４５】
そして、第１のメモリカードと第２のメモリカードは隔壁を介することなく積み重ねられるので、従来の隔壁を有するメモリカード用コネクタと比較して更なる低背化が可能となった。
【００４６】
更に、本発明によるメモリカード用コネクタは、第１のメモリカードと第２のメモリカードを鋭角に挿入できるので、このメモリカード用コネクタを搭載する装置にあっては、第１のメモリカードと第２のメモリカードを挿入する開口を例えば背面にのみ形成するだけでよく、従来のように直交する２方向に開口を設けなくてよい。
【発明の効果】
【００４７】
本発明のメモリカード用コネクタは、第１のカード差込部に挿入された第１のメモリカード上に第２のカード差込部に挿入された前記第２のメモリカードが当接するように積み重なるので、従来の隔壁を有するメモリカード用コネクタと比較して更なる低背化が可能となった。
【００４８】
更に、本発明のメモリカード用コネクタは、第１のメモリカードを第２のメモリカードが覆うように配置されるので、二つのメモリカードを少ない面積で配置できる。又、このメモリカード用コネクタを搭載する装置にあっては、第１のメモリカードと第２のメモリカードを挿入する開口を例えば背面にのみ形成するだけでよく、従来のように直交する２方向に開口を設けなくてよい。
【発明を実施するための最良の形態】
【００４９】
以下、図面を参照して本発明を実施するための最良の形態を説明する。
【００５０】
図１は、本発明によるメモリカード用コネクタ（以下、コネクタと略称する。）の一実施形態を示す斜視外観図である。図１において、符号１は第１のメモリカード、符号２は第２のメモリカードである。又、符号３はハウジング、符号４と符号５はそれぞれ第１のカンチレバーコンタクトと第２のカンチレバーコンタクトである。
【００５１】
図１の実施形態において、第１のメモリカード１は６極のＳＩＭカードを示している。以下、第１のメモリカード１は６極のＳＩＭカード１と呼ぶこととする。図１のＳＩＭカード１は幅Ｗ１×奥行きＤ１×厚さｔ１が例えば、約１５ｍｍ×２４ｍｍ×０．７６ｍｍである。
【００５２】
一方、図１の実施形態において、第２のメモリカード２は７極のＲＳ−ＭＭＣを示している。以下、第２のメモリカード２は７極のＲＳ−ＭＭＣ２と呼ぶこととする。図１のＲＳ−ＭＭＣ２は幅Ｗ２×奥行きＤ２×厚さｔ２が例えば、約２４ｍｍ×１８ｍｍ×１．４ｍｍである。
【００５３】
図１の実施形態において、ＳＩＭカード１は絶縁性の合成樹脂材で長方形状に成形されている。ＳＩＭカード１の底面には、図示されない６つの面上接続端子１Ｔ群が配列されている。これら面上接続端子１Ｔ群はＳＩＭカード１に内蔵されているＩＣチップと電気的に接続している。
【００５４】
又、図１の実施形態において、ＲＳ−ＭＭＣ２は絶縁性の合成樹脂材で長方形状に成形されている。ＲＳ−ＭＭＣ２の底面において一端辺近傍には、図示されない７つの面上接続端子２Ｔ群が一列に配列されている。これら面上接続端子２Ｔ群はＲＳ−ＭＭＣ２に内蔵されているフラッシュメモリとなるＩＣチップと電気的に接続している。
【００５５】
なお、ＳＩＭカード１は誤挿入を防止するために、一角が斜めに切り欠かれた斜面部１Ｅを形成している。同様に、ＲＳ−ＭＭＣ２は誤挿入を防止するために、一角が斜めに切り欠かれた斜面部２Ｅを形成している。
【００５６】
図１の実施形態において、ハウジング３は絶縁性の合成樹脂材で概矩形状に成形されている。そして、ハウジング３は、ＳＩＭカード１が載置される上面開放凹部３１が形成されている。ハウジング３は、上面開放凹部３１の縁端辺にカード差込部３１Ａを有しており、このカード差込部３１ＡにＳＩＭカード１が挿入される。
【００５７】
更に、ハウジング３は、ＲＳ−ＭＭＣ２が載置される上面開放凹部３２が形成されている。上面開放凹部３２は、上面開放凹部３１の底面から隆起する段差となっている。ハウジング３は、上面開放凹部３２の縁端辺にカード差込部３２Ａを有しており、このカード差込部３２ＡにＲＳ−ＭＭＣ２が挿入される。なお、カード差込部３２Ａはカード差込部３１Ａが形成されている縁端辺と直交すると共に隣接している。
【００５８】
図１の実施形態において、複数のカンチレバーコンタクト４は、上面開放凹部３１の底部に配列されている。複数のカンチレバーコンタクト４は、ＳＩＭカード１に形成されている面上接続端子１Ｔ群と接触する。一方、複数のカンチレバーコンタクト５は、上面開放凹部３２の底部に配列されている。複数のカンチレバーコンタクト５は、ＲＳ−ＭＭＣ２に形成されている面上接続端子２Ｔ群と接触する。
【００５９】
このように、本発明によるコネクタ１０は、ハウジング３と複数のカンチレバーコンタクト４及び５で構成されており、ＳＩＭカード１とＲＳ−ＭＭＣ２とが互いに交差し、又、直交する方向から挿入される。
【００６０】
次に、図１に示されたコネクタ１０の構造を図２により更に詳細に説明する。なお、図２においては、図１を援用しながら説明する。図２（ａ）はコネクタ１０の平面図、図２（ｂ）は図２（ａ）の正面図、図２（ｃ）は図２（ａ）の左側面図である。
【００６１】
図２の実施形態において、ハウジング３は、ＳＩＭカード１が載置される矩形状の上面開放凹部３１が形成されており、上面開放凹部３１の縁端辺にＳＩＭカード１が緩挿される薄直方体形状のカード差込部３１Ａを有している。カード差込部３１Ａは、ＳＩＭカード１における一端辺近傍が緩挿される差込口を有する収納空間からなる薄直方体形状になっている。
【００６２】
又、カード差込部３１Ａの両翼であり、上面開放凹部３１において対向する立設壁３１Ｂ及び３１Ｃは、ＳＩＭカード１における両側辺を規制するようになっている。更に、上面開放凹部３１の右下隅には、ＳＩＭカード１の誤挿入を防止するための突起３１Ｄが形成されている。この突起３１ＤはＳＩＭカード１に形成されている斜面部１Ｅに対応している。
【００６３】
一方、ハウジング３は、上面開放凹部３１の底面から隆起する段差となってＲＳ−ＭＭＣ２が載置される矩形状の上面開放凹部３２が形成されており、上面開放凹部３２の縁端辺にＲＳ−ＭＭＣ２が緩挿される薄直方体形状のカード差込部３２Ａを有している。カード差込部３２Ａは、ＲＳ−ＭＭＣ２における一端辺近傍が緩挿される差込口を有する収納空間からなる薄直方体形状になっている。
【００６４】
又、カード差込部３２Ａの両翼であり、上面開放凹部３２において対向する立設壁３２Ｂ及び３２Ｃは、ＲＳ−ＭＭＣ２における両側辺を部分的に規制するようになっている。更に、上面開放凹部３２の右下隅には、ＲＳ−ＭＭＣ２の誤挿入を防止するための突起３２Ｄが形成されている。この突起３２ＤはＲＳ−ＭＭＣ２に形成されている斜面部２Ｅに対応している。
【００６５】
図２の実施形態において、カンチレバーコンタクト４は弾性部４Ａと固定部４Ｂとで構成されている。弾性部４Ａは、ＳＩＭカード１における面上接続端子１Ｔ群との接点が上面開放凹部３１の底面から突出している。固定部４Ｂは、例えば圧入等によりハウジング３に保持されている。固定部４Ｂの縁部は、ハウジング３から延出してコネクタ１０が実装されるプリント基板（図示せず）に、はんだ接合されるタブ４Ｃを形成している。
【００６６】
同様に、図２の実施形態において、カンチレバーコンタクト５は弾性部５Ａと固定部５Ｂとで構成されている。弾性部５Ａは、ＲＳ−ＭＭＣ２における面上接続端子２Ｔ群との接点が上面開放凹部３２の底面から突出している。固定部５Ｂは、例えば圧入等によりハウジング３に保持されている。固定部５Ｂの縁部は、ハウジング３から延出してコネクタ１０が実装されるプリント基板（図示せず）に、はんだ接合されるタブ５Ｃを形成している。
【００６７】
図２の実施形態において、カンチレバーコンタクト４の弾性部４Ａは円弧状に形成され、この円弧部は上面開放凹部３１の底面から突出している。更に、カンチレバーコンタクト４の円弧部は対向するように２列に配列されている。カンチレバーコンタクト５の弾性部５Ａは円弧状に形成され、この円弧部は上面開放凹部３２の底面から突出している。更に、カンチレバーコンタクト５の円弧部はカード差込部３２Ａ近傍に一列に配列されている。
【００６８】
次に、本発明によるコネクタの作用を図３により説明する。図３（ａ）はコネクタ１０にＳＩＭカード１が挿入された状態での斜視図である。図３（ｂ）はコネクタ１０に更にＲＳ−ＭＭＣ２が挿入された状態での斜視図である。
【００６９】
図３（ａ）は、ＳＩＭカード１がカード差込部３１Ａに挿入された状態図であり、ＳＩＭカード１は面上接続端子１Ｔ群（図１参照）を下向きにして挿入されている。図３（ａ）では、ＳＩＭカード１の端面がカード差込部３１Ａに緩やかに保持されており、カンチレバーコンタクト４（図１参照）の付勢力によってＳＩＭカード１が傾斜状態に保持されるポップアップ機構を構成している。
【００７０】
図３（ｂ）は、図３（ａ）の状態から更に、ＲＳ−ＭＭＣ２がカード差込部３２Ａに挿入された状態図であり、ＲＳ−ＭＭＣ２は面上接続端子２Ｔ群（図１参照）を下向きにして挿入されている。図３（ｂ）では、ＲＳ−ＭＭＣ２の端面がカード差込部３２Ａに緩やかに保持されており、カンチレバーコンタクト５の付勢力によってＲＳ−ＭＭＣ２が傾斜状態に保持されるポップアップ機構を構成している。
【００７１】
そして、図３（ｂ）に示されるように、カード差込部３１Ａに挿入されたＳＩＭカード１上に、カード差込部３２Ａに挿入されたＲＳ−ＭＭＣ２が当接するように積み重なっている。
【００７２】
このようなコネクタ１０にあっては、このコネクタ１０が搭載される装置において蓋体等でＲＳ−ＭＭＣ２を押圧することにより、ＲＳ−ＭＭＣ２における面上接続端子２Ｔ群はカンチレバーコンタクト５に電気的接続を可能としている。更に、ＳＩＭカード１はＲＳ−ＭＭＣ２に押圧されることにより、ＳＩＭカード１における面上接続端子１Ｔ群はカンチレバーコンタクト４に電気的接続を可能としている。
【００７３】
図３（ｂ）において、カード差込部３１Ａに挿入されたＳＩＭカード１上に、カード差込部３２Ａに挿入されたＲＳ−ＭＭＣ２が当接するように積み重ねられている。そして、ＲＳ−ＭＭＣ２が水平状態に押圧されると、ＳＩＭカード１はカード差込部３１Ａを支点に回転変位して面上接続端子１Ｔ群（図１参照）がカンチレバーコンタクト４（図１参照）に押圧され、ＲＳ−ＭＭＣ２はカード差込部３２Ａを支点に回転変位して面上接続端子２Ｔ群（図１参照）がカンチレバーコンタクト５に押圧される。
【００７４】
このように、本発明によるコネクタ１０は、ＳＩＭカード１とＲＳ−ＭＭＣ２とが従来のように隔壁を介することなく積み重ねられるので、従来の隔壁を有するメモリカード用コネクタと比較して更なる低背化が可能となった。
【００７５】
次に、本発明によるコネクタへのメモリカードの装着手順を図４の状態変化図により説明する。
【００７６】
図４（ａ）は、コネクタ１０の斜視外観図であり、メモリカードが挿入される前の状態図である。そして、図４（ｂ）に示されるように、最初にＳＩＭカード１がコネクタ１０に装着される。図４（ｂ）において、ＳＩＭカード１は、上面開放凹部３１における底面と鋭角をなす角度でカード差込部３１Ａに挿入される。
【００７７】
次に、図４（ｃ）に示されるように、ＳＩＭカード１は、上面開放凹部３１に載置される。次に、図４（ｄ）に示されるように、ＲＳ−ＭＭＣ２がコネクタ１０に装着される。図４（ｄ）において、ＲＳ−ＭＭＣ２は、上面開放凹部３２における底面と鋭角をなす角度でカード差込部３２Ａに挿入される。
【００７８】
図４（ｄ）に示された状態から、ＲＳ−ＭＭＣ２を水平状態になるように傾倒させ、更に、コネクタ１０が搭載される装置において蓋体等でＲＳ−ＭＭＣ２を押圧することにより、図４（ｅ）に示される状態になる。図４（ｅ）ではカード差込部３１Ａに挿入されたＳＩＭカード１上に、カード差込部３２Ａに挿入されたＲＳ−ＭＭＣ２が当接するように積み重なっている。
【００７９】
このように、本発明によるコネクタ１０は、ＳＩＭカード１とＲＳ−ＭＭＣ２とを鋭角に挿入できるので、このコネクタ１０を搭載する装置にあっては、ＳＩＭカード１とＲＳ−ＭＭＣ２とを挿入する開口を例えば背面にのみ形成するだけでよく、従来のように直交する２方向に開口を設けなくてよい。
【００８０】
次に、本発明によるコネクタを用いた携帯電話機の実施の形態を図５により説明する。
【００８１】
図５（ａ）は携帯電話機２０の斜視外観図である。図５（ａ）の実施形態は携帯電話機２０を背面から観た図である。なお、図５（ａ）では、携帯電話機２０において、ボタンや表示器が実装される操作面を正面（オモテ面）としている。なお、図５（ｂ）は図５（ａ）の要部拡大斜視外観図である
【００８２】
図５に示されるように、携帯電話機２０の背面には本発明によるコネクタ１０が搭載されている。コネクタ１０には開口２１を介して、図１に示されたＳＩＭカード１とＲＳ−ＭＭＣ２が挿入される。そして、携帯電話機２０の背面カバーとなる図示されない蓋体が取り付けられることにより、ＳＩＭカード１及びＲＳ−ＭＭＣ２が電気的に接続可能となる。
【００８３】
本発明によるコネクタ１０が搭載されている携帯電話機２０にあっては、既に説明したように、ＳＩＭカード１とＲＳ−ＭＭＣ２とを鋭角に挿入できるので、ＳＩＭカード１とＲＳ−ＭＭＣ２とを挿入する開口を例えば背面にのみ形成するだけでよく、従来のように直交する２方向に開口を設けなくてよい。
【産業上の利用可能性】
【００８４】
本発明は、情報管理用のメモリカードと記録用のメモリカードが同時に接続できる低背型のメモリカード用コネクタ及びこれを用いた携帯電話機を説明してきたが、本発明による低背型のメモリカード用コネクタはこれに限定されるものではなく、ハウジングとカンチレバーコンタクトを適宜変更することとによって、例えば、記録用のメモリカードを２個同時に搭載可能な低背型のメモリカード用コネクタとすることもできる。
【００８５】
更に、本発明によるメモリカード用コネクタの用途は携帯電話機に限定されない。例えば、デジタルカメラ（ＤＳＣ、ＤＶＣ）やノート型パソコン、携帯音楽プレーヤーに適用されてもよい。又、情報家電製品に適用されてもよい。
【図面の簡単な説明】
【００８６】
【図１】本発明によるメモリカード用コネクタの一実施形態を示す斜視外観図である。
【図２】本発明によるメモリカード用コネクタの構造を示す図である。
【図３】本発明によるメモリカード用コネクタの作用を説明するための状態図である。
【図４】本発明によるメモリカード用コネクタへのメモリカードの装着手順を示す状態変化図である。
【図５】本発明によるメモリカード用コネクタを用いた携帯電話機の斜視外観図である。
【符号の説明】
【００８７】
１    第１のメモリカード（ＳＩＭカード）
１Ｔ    第１の面上接続端子
２    第２のメモリカード（ＲＳ−ＭＭＣ）
２Ｔ    第２の面上接続端子
３    ハウジング
４    第１のカンチレバーコンタクト
５    第２のカンチレバーコンタクト
１０    メモリカード用コネクタ（コネクタ）
３１    第１の上面開放凹部
３１Ａ    第１のカード差込部
３２    第２の上面開放凹部
３２Ａ    第２のカード差込部
【図１】
2007012348.tif 000003
【図２】
2007012348.tif 000004
【図３】
2007012348.tif 000005
【図４】
2007012348.tif 000006
【図５】
2007012348.tif 000007